(57)【要約】      （修正有）【課題】遊技機のＲＯＭを不正に改竄ＲＯＭに交換する等の不正行為があるとその事実を簡単にチェック、監視できる通信回路部を設けた結束バンド及びそれを使用した遊技機の改竄監視システムを提供する。【解決手段】パチンコ機１０の基板収容ケース１２には通信回路部を設けた結束バンド１６が巻き付けられている。この通信回路部を設けた結束バンド１６には通信回路部２２が形成されている。また、パチンコ機１０の背面にはアンテナ３０が１個づつ配設されている。このアンテナ３０はアンテナ用ＬＡＮケーブル３２を介してコントローラーと接続されている。コントローラーはコントローラー用ＬＡＮケーブル３６を介して中継基板３８に接続されている。この中継基板３８は中継基板用ＬＡＮケーブル４０を介してパチンコ店の管理室等に設置されたパソコン４２に接続されている。【選択図】図４
0003137336.tif 000002
【実用新案登録請求の範囲】
【請求項１】
遊技機に取り付けられる結束バンドであって、帯状に形成された結束バンド本体と、この結束バンド本体に連続形成されると共にアンテナ部とＩＣチップを備えた通信回路部と、を有してなることを特徴とする通信回路部を設けた結束バンド。
【請求項２】
遊技機に取り付けられる結束バンドであって、帯状に形成された結束バンド本体と、この結束バンド本体の基端部に貫通形成されると共に結束バンド本体の先端部、中間部が挿通されるロック挿通口と、前記結束バンド本体の基端部に連続形成された通信回路部形成体と、この通信回路部形成体に形成されると共にアンテナ部とＩＣチップを備えた通信回路部と、を有してなることを特徴とする通信回路部を設けた結束バンド。
【請求項３】
遊技機に取り付けられる結束バンドであって、帯状に形成された結束バンド本体と、この結束バンド本体の基端部に貫通形成されると共に結束バンド本体の先端部、中間部が挿通されるロック挿通口と、前記結束バンド本体の基端部に連続形成された通信回路部形成体と、この通信回路部形成体及び前記結束バンド本体に連続形成されたアンテナ部と前記通信回路部形成体に形成されたＩＣチップを備えた通信回路部と、を有してなることを特徴とする通信回路部を設けた結束バンド。
【請求項４】
複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナに接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告するコントローラーと、このコントローラーと接続されると共にコントローラーから異常情報の報告を受けると画面に異常情報を発信した前記通信回路部を設けた結束バンドが取り付けられた遊技機を特定して表示する前記管理用コンピューターと、を有してなることを特徴とする遊技機の改竄監視システム。
【請求項５】
複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナに接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告する複数のコントローラーと、これら複数のコントローラーと接続されると共にコントローラーから異常情報の報告を受けると画面に異常情報を発信した前記通信回路部を設けた結束バンドが取り付けられた遊技機を特定して表示する前記管理用コンピューターと、を有してなることを特徴とする遊技機の改竄監視システム。
【請求項６】
複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告する複数のコントローラーと、これら複数のコントローラーと接続されると共に前記コントローラーから異常情報の報告を受けると画面に異常情報を発信した前記通信回路部を設けた結束バンドが取り付けられた遊技機を特定して表示する前記管理用コンピューターと、を有してなることを特徴とする遊技機の改竄監視システム。
【請求項７】
複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ中継基板を介して管理用コンピューターに異常情報を報告する複数のコントローラーと、これら複数のコントローラーとコントローラー用ＬＡＮケーブルを介して接続された前記中継基板と、この中継基板と中継基板用ＬＡＮケーブルを介して接続されて前記コントローラーから異常情報の報告を受けると画面に異常情報を発信した前記通信回路部を設けた結束バンドが取り付けられた遊技機を特定して表示する前記管理用コンピューターと、を有してなることを特徴とする遊技機の改竄監視システム。
【請求項８】
複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナと接続されてそれぞれのアンテナに対して順番に繰り返し前記通信回路部の情報確認指示を出すコントローラーと、このコントローラーと接続されてコントローラーから送られてきた前記通信回路部ごとの情報を照合、判断すると共に前記情報が異常情報であると判断した場合のみ画面に異常情報を発信した前記通信回路部を設けた結束バンドが取り付けられた遊技機を特定して表示する管理用コンピューターと、を有してなることを特徴とする遊技機の改竄監視システム。
【請求項９】
複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナと接続されてそれぞれのアンテナに対して順番に繰り返し前記通信回路部の情報確認指示を出す複数のコントローラーと、これら複数のコントローラーと接続されてコントローラーから送られてきた前記通信回路部ごとの情報を照合、判断すると共に前記情報が異常情報であると判断した場合のみ画面に異常情報を発信した前記通信回路部を設けた結束バンドが取り付けられた遊技機を特定して表示する管理用コンピューターと、を有してなることを特徴とする遊技機の改竄監視システム。
【請求項１０】
複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出す複数のコントローラーと、これら複数のコントローラーと接続されると共にコントローラーから送られてきた前記通信回路部ごとの情報を照合、判断して前記情報が異常情報であると判断した場合のみ画面に異常情報を発信した前記通信回路部を設けた結束バンドが取り付けられた遊技機を特定して表示する管理用コンピューターと、を有してなることを特徴とする遊技機の改竄監視システム。
【請求項１１】
複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出す複数のコントローラーと、これら複数のコントローラーとコントローラー用ＬＡＮケーブルを介して接続される中継基板と、この中継基板と中継基板用ＬＡＮケーブルを介して接続されると共にそれぞれのコントローラーから前記中継基板を介して送られてきた前記通信回路部ごとの情報を照合、判断して前記情報が異常情報であると判断した場合のみ画面に異常情報を発信した前記通信回路部を設けた結束バンドが取り付けられた遊技機を特定して表示する管理用コンピューターと、を有してなることを特徴とする遊技機の改竄監視システム。
【請求項１２】
複数の遊技機を監視する遊技機の改竄監視システムであって、監視する複数の遊技機ごとに取り付けられた通信回路部を設けた結束バンドと、前記通信回路部の情報を読み取ることができるＩＣ読取チェッカーと、を有してなることを特徴とする遊技機の改竄監視システム。
【考案の詳細な説明】
【技術分野】
【０００１】  本考案は、パチンコ機等の遊技機に適用される通信回路部を設けた結束バンド及びそれを使用した遊技機の改竄監視システムに関する。
【背景技術】
【０００２】  パチンコ機にはパチンコ機のゲーム全般をコントロールする制御部としての制御基板が基板収容ケースに収容された状態で配設されている。この制御基板の基板本体にはパチンコ機の大当たり等を決定する重要なプログラムが記録されたＲＯＭ（Ｒｅａｄ  Ｏｎｌｙ  Ｍｅｍｏｒｙの省略）が取り付けられている。
このため、不正行為者が前記基板収容ケースを開けて前記ＲＯＭを取り外して用意した改竄ＲＯＭを取り付けて当該パチンコ機のゲームをコントロールして多くの出玉を不正に獲得する不正行為が可能となっている。
しかし、このような不正行為があった場合でもパチンコ店側はパチンコ機の基板収容ケースの外側からＲＯＭを見て当該ＲＯＭが改竄ＲＯＭであるか否かを目で見て判断しなければならず、前記不正行為をチェックすることは困難である。
特に、大型のパチンコ店のように多数のパチンコ機が設置されている場合等においては１台づつパチンコ機の基板収容ケースに収容されているＲＯＭが改竄ＲＯＭであるか否かを目で見てチェックすることは多大な時間と労力が必要になり極めて困難である。
【考案の開示】
【考案が解決しようとする課題】
【０００３】  本考案は、上記事実に鑑みなされたものであり、遊技機を改竄するために遊技機の基板収容ケースを不正に開けたり、遊技機の基板収容ケースをそっくり交換する等の不正行為が加わると、簡単かつ短時間でチェック、監視することができる通信回路部を設けた結束バンド及びそれを使用した遊技機の改竄監視システムを提供するものである。
【課題を解決するための手段】
【０００４】  請求項１の考案は、遊技機に取り付けられる結束バンドであって、帯状に形成された結束バンド本体と、この結束バンド本体に連続形成されると共にアンテナ部とＩＣチップを備えた通信回路部と、を有してなることを特徴としている。
請求項２の考案は、遊技機に取り付けられる結束バンドであって、帯状に形成された結束バンド本体と、この結束バンド本体の基端部に貫通形成されると共に結束バンド本体の先端部、中間部が挿通されるロック挿通口と、前記結束バンド本体の基端部に連続形成された通信回路部形成体と、この通信回路部形成体に形成されると共にアンテナ部とＩＣチップを備えた通信回路部と、を有してなることを特徴としている。
請求項３の考案は、遊技機に取り付けられる結束バンドであって、帯状に形成された結束バンド本体と、この結束バンド本体の基端部に貫通形成されると共に結束バンド本体の先端部、中間部が挿通されるロック挿通口と、前記結束バンド本体の基端部に連続形成された通信回路部形成体と、この通信回路部形成体及び前記結束バンド本体に連続形成されたアンテナ部と前記通信回路部形成体に形成されたＩＣチップを備えた通信回路部と、を有してなることを特徴としている。
請求項４の考案は、複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナに接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告するコントローラーと、このコントローラーと接続されると共にコントローラーから異常情報の報告を受けると画面に異常情報を発信した前記通信回路部を設けた結束バンドが取り付けられた遊技機を特定して表示する前記管理用コンピューターと、を有してなることを特徴としている。
請求項５の考案は、複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナに接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告する複数のコントローラーと、これら複数のコントローラーと接続されると共にコントローラーから異常情報の報告を受けると画面に異常情報を発信した前記通信回路部を設けた結束バンドが取り付けられた遊技機を特定して表示する前記管理用コンピューターと、を有してなることを特徴としている。
請求項６の考案は、複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告する複数のコントローラーと、これら複数のコントローラーと接続されると共に前記コントローラーから異常情報の報告を受けると画面に異常情報を発信した前記通信回路部を設けた結束バンドが取り付けられた遊技機を特定して表示する前記管理用コンピューターと、を有してなることを特徴としている。
請求項７の考案は、複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ中継基板を介して管理用コンピューターに異常情報を報告する複数のコントローラーと、これら複数のコントローラーとコントローラー用ＬＡＮケーブルを介して接続された前記中継基板と、この中継基板と中継基板用ＬＡＮケーブルを介して接続されて前記コントローラーから異常情報の報告を受けると画面に異常情報を発信した前記通信回路部を設けた結束バンドが取り付けられた遊技機を特定して表示する前記管理用コンピューターと、を有してなることを特徴としている。
請求項８の考案は、複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナと接続されてそれぞれのアンテナに対して順番に繰り返し前記通信回路部の情報確認指示を出すコントローラーと、このコントローラーと接続されてコントローラーから送られてきた前記通信回路部ごとの情報を照合、判断すると共に前記情報が異常情報であると判断した場合のみ画面に異常情報を発信した前記通信回路部を設けた結束バンドが取り付けられた遊技機を特定して表示する管理用コンピューターと、を有してなることを特徴としている。
請求項９の考案は、複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナと接続されてそれぞれのアンテナに対して順番に繰り返し前記通信回路部の情報確認指示を出す複数のコントローラーと、これら複数のコントローラーと接続されてコントローラーから送られてきた前記通信回路部ごとの情報を照合、判断すると共に前記情報が異常情報であると判断した場合のみ画面に異常情報を発信した前記通信回路部を設けた結束バンドが取り付けられた遊技機を特定して表示する管理用コンピューターと、を有してなることを特徴としている。
請求項１０の考案は、複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出す複数のコントローラーと、これら複数のコントローラーと接続されると共にコントローラーから送られてきた前記通信回路部ごとの情報を照合、判断して前記情報が異常情報であると判断した場合のみ画面に異常情報を発信した前記通信回路部を設けた結束バンドが取り付けられた遊技機を特定して表示する管理用コンピューターと、を有してなることを特徴としている。
請求項１１の考案は、複数の遊技機を１台づつ順番に連続して繰り返し監視する遊技機の改竄監視システムであって、監視する複数の遊技機ごとに取り付けられた通信回路部を設けた結束バンドと、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出す複数のコントローラーと、これら複数のコントローラーとコントローラー用ＬＡＮケーブルを介して接続される中継基板と、この中継基板と中継基板用ＬＡＮケーブルを介して接続されると共にそれぞれのコントローラーから前記中継基板を介して送られてきた前記通信回路部ごとの情報を照合、判断して前記情報が異常情報であると判断した場合のみ画面に異常情報を発信した前記通信回路部を設けた結束バンドが取り付けられた遊技機を特定して表示する管理用コンピューターと、を有してなることを特徴としている。
請求項１２の考案は、複数の遊技機を監視する遊技機の改竄監視システムであって、監視する複数の遊技機ごとに取り付けられた通信回路部を設けた結束バンドと、前記通信回路部の情報を読み取ることができるＩＣ読取チェッカーと、を有してなることを特徴としている。
【考案の効果】
【０００５】  本考案の通信回路部を設けた結束バンドは、通信回路部が形成されているので遊技機の改竄監視システムに用いることができるという優れた効果を有する。
本考案の遊技機の改竄監視システムは、遊技機のＲＯＭが改竄ＲＯＭに交換された等の不正行為を短時間でチェック、監視することができるという優れた効果を有する。
また、本考案の遊技機の改竄監視システムは、複数設置されている遊技機の中でＲＯＭが改竄ＲＯＭに不正に交換された事実等のおそれのある遊技機を短時間で特定することができるので遊技機を多数設置している店舗において少ない労力で多数の遊技機の改竄事実を効率的にチェック、監視することができるという優れた効果を有する。
さらに、本考案の遊技機の改竄監視システムは、遊技機のＲＯＭが改竄ＲＯＭに不正に交換された等の不正行為を短時間で特定してチェック、監視することができるので遊技機の改竄事実を直ぐに知ることができ不正行為を未然に防止することができるという優れた効果を有する。
【考案を実施するための最良の形態】
【０００６】  考案を実施するために最良の形態の例として以下のような実施例を示す。
【実施例１】
【０００７】  図１〜図４には本考案に係る通信回路部を設けた結束バンド及びそれを使用した遊技機の改竄監視システムの第１実施例が示されている。なお、この実施例では通信回路部を設けた結束バンド及びそれを使用した遊技機の改竄監視システムを遊技機としてのパチンコ機に使用する場合を例にして説明する。
図２に示されるように、遊戯機としてのパチンコ機１０の遊技盤１１の背面に固定されたボックス体１１Ａには適宜手段を介して基板収容ケース１２が配設固定されている。
この基板収容ケース１２はケース本体１２Ａとケース蓋１２Ｂで構成されている。また、このケース本体１２Ａとケース蓋１２Ｂは無色透明な合成樹脂材で形成され、基板収容ケース１２の外側から基板収容ケース１２の内側を見ることができるようになっている。
前記基板収容ケース１２の内側には前記パチンコ機１０の出玉数等のゲームをコントロールする制御部としての制御基板１４が収容されている。この制御基板１４にはパチンコ機１０の大当たり等を決定する重要なプログラムが記録されたＲＯＭ１５をはじめとして各種電子部品が取り付けられている。
前記基板収容ケース１２と前記ボックス体１１Ａには通信回路部を設けた結束バンド１６が巻き付けられている。
図１に示されるように、前記通信回路部を設けた結束バンド１６を構成する結束バンド本体１８は合成樹脂材で帯状に長く形成されている。この結束バンド本体１８の基端部１８Ａは幅広で肉厚に形成されている。この基端部１８Ａにはロック挿通口１９が貫通形成され、ロック挿通口１９には前記結束バンド本体１８の先端部１８Ｂ、中間部１８Ｃが挿通されるようになっている（図３参照）。
また、結束バンド本体１８の中間部１８Ｃには中間部１８Ｃの長手方向に沿って鋸刃状に形成された係合爪部２０が連続して形成されている。結束バンド本体１８の中間部１８Ｃをロック挿通口１９に挿通すると係合爪部２０は前記ロック挿通口１９の内側に形成されたロック部（図示せず）と係合するようになっている。しかも、前記係合爪部２０と前記ロック挿通口１９のロック部が一旦係合すると結束バンド本体１８は締付方向にスライドさせることはできるが、反締付方向にはスライドできない構造になっている。従って、前記係合爪部２０とロック挿通口１９のロック部が係合すると結束バンド本体１８を緩めることはできないようになっている。
この結果、図２に示されるように、前記通信回路部を設けた結束バンド１６を基板収容ケース１２に巻き付けると基板収容ケース１２のケース蓋１２Ｂを開けたり、あるいは基板収容ケース１２全体をパチンコ機１０から取り外すには前記通信回路部を設けた結束バンド１６の結束バンド本体１８をカッター等で切断しなければならない。
図１に示されるように、前記結束バンド本体１８の基端部１８Ａには結束バンド本体１８と共に前記通信回路部を設けた結束バンド１６を構成する通信回路部２２が設けられる通信回路部形成体２４が連続形成されている。この通信回路部形成体２４は矩形状に形成され、表面にはプリント技術により通信回路部２２のアンテナ部２６が環状に形成されている。また、アンテナ部２６には種々の情報が記憶された極めて薄くて小さい通信回路部２２のＩＣチップ２８が取り付けられている。
図４に示されるように、前記パチンコ機１０の背面には前記通信回路部２２と約３０ｃｍ〜約５０ｃｍの間隔を設けてリング状のアンテナ３０が１個配設されている（なお、図４においては便宜上パチンコ機１０とアンテナ３０が作図上重ならないようにアンテナ３０をパチンコ機１０の横に示す）。なお、前記通信回路部２２と前記アンテナ３０の間隔を約３０ｃｍ〜約５０ｃｍとしたのは通信回路部２２とアンテナ３０が離れすぎるとアンテナ３０が通信回路部２２の情報を受信できなくなるのを防ぐためである。
前記アンテナ３０は前記通信回路部２２との通信を行う装置である。具体的には、前記通信回路部２２のアンテナ部２６から発信される通信回路部２２の情報を受信する機能を有している。また、前記アンテナ３０はアンテナ毎にＩＰと称される個別の識別番号を有している。従って、このＩＰにより当該アンテナ３０が何番台のパチンコ機１０をチェック、監視しているかを後述する管理用コンピューターで判断できるようになっている。
この実施例の遊技機の改竄監視システムにおいては第１コントローラー３４Ａ，第２コントローラー３４Ｂ，第３コントローラー３４Ｃ，第４コントローラー３４Ｄの４台のコントローラーが備えられている。
これら第１コントローラー３４Ａ，第２コントローラー３４Ｂ，第３コントローラー３４Ｃ，第４コントローラー３４Ｄは、それぞれ１６本のアンテナ用ＬＡＮケーブル３２と接続され、１６個のアンテナ３０と接続されている（なお、作図の都合上、図４には前記第１コントローラー３４Ａに１本のアンテナ用ＬＡＮケーブル３２と１個のアンテナ３０を示す）。
前記第１コントローラー３４Ａ，第２コントローラー３４Ｂ，第３コントローラー３４Ｃ，第４コントローラー３４Ｄは接続されたそれぞれのアンテナ３０の管理を行う機能を有している。また、第１コントローラー３４Ａ，第２コントローラー３４Ｂ，第３コントローラー３４Ｃ，第４コントローラー３４Ｄはそれぞれのアンテナ３０から受け取った通信回路部２２の情報の比較、照合、判断（例えば情報が正常か異常かの判断）を行う機能を有している。
さらに、前記第１コントローラー３４Ａ，第２コントローラー３４Ｂ，第３コントローラー３４Ｃ，第４コントローラー３４Ｄはアンテナ３０からの情報が異常情報と判断した場合に後述する管理用コンピューターに異常情報を送信する機能を有している。
この実施例の遊技機の改竄監視システムにおいては第１コントローラー３４Ａは１番台〜１６番台のパチンコ機１０を監視し、第２コントローラー３４Ｂは１７番台〜３２番台のパチンコ機１０を監視し、第３コントローラー３４Ｃは３３番台〜４８番台のパチンコ機１０を監視し、第４コントローラー３４Ｄは４９番台〜６４番台のパチンコ機１０を監視するようになっている。
従って、この実施例では第１コントローラー３４Ａ，第２コントローラー３４Ｂ，第３コントローラー３４Ｃ，第４コントローラー３４Ｄの４台のコントローラーで６４台のパチンコ機１０の改竄等の不正行為をチェック、監視することができるようになっている。
前記第１コントローラー３４Ａ，第２コントローラー３４Ｂ，第３コントローラー３４Ｃ，第４コントローラー３４Ｄはそれぞれのコントローラー用ＬＡＮケーブル３６を介して中継基板３８に接続されている。この中継基板３８はＨＵＢと呼ばれる集線装置であって前記前記第１コントローラー３４Ａ，第２コントローラー３４Ｂ，第３コントローラー３４Ｃ，第４コントローラー３４Ｄと後述する管理用コンピューターを結ぶ機能を有している。
前記中継基板３８は中継基板用ＬＡＮケーブル４０を介してパチンコ店の管理室に設置された管理用コンピューターとしてのパソコン４２に接続されている。このパソコン４２は前記アンテナ３０、第１コントローラー３４Ａ，第２コントローラー３４Ｂ，第３コントローラー３４Ｃ，第４コントローラー３４Ｄ、中継基板３８を介して異常情報が送られてきた場合にパソコン４２の画面部４４に「何番台のパチンコ機で異常」と表示するようになっている。
従って、このパソコン４２の画面部４４を見ることにより何番台のパチンコ機１０で改竄等の不正行為が行われたか等を一目で知ることができるようになっている。
なお、前記パソコン４２は不正行為が行われた場合は異常情報の発生日時と異常情報が発信されたパチンコ機１０の番台を記録する機能を有している。
なお、前記第１コントローラー３４Ａ，第２コントローラー３４Ｂ，第３コントローラー３４Ｃ，第４コントローラー３４Ｄ、中継基板３８、パソコン４２はそれぞれ独自の電源を有しているが、前記アンテナ３０は第１コントローラー３４Ａ，第２コントローラー３４Ｂ，第３コントローラー３４Ｃ，第４コントローラー３４Ｄからそれぞれ電源を供給されている。【０００８】  次に、第１実施例の通信回路部を設けた結束バンド及びそれを使用した遊技機の改竄監視システムの作用を説明する。
本考案の通信回路部を設けた結束バンド１６は図２に示されるように前記基板収容ケース１２と前記ボックス体１１Ａを一緒に巻いた状態できつく締め付けて取り付ける。これにより、通信回路部を設けた結束バンド１６を取り外すには、結束バンド本体１８を切断しなければならない状態となる。
そして、前記アンテナ３０をパチンコ機１０の背面に配設すると共にアンテナ用ＬＡＮケーブル３２、第１コントローラー３４Ａ，第２コントローラー３４Ｂ，第３コントローラー３４Ｃ，第４コントローラー３４Ｄ、コントローラー用ＬＡＮケーブル３６、中継基板３８、中継基板用ＬＡＮケーブル４０、パソコン４２、をそれぞれセッティングする。
実施例の通信回路部を設けた結束バンド及びそれを使用した遊技機の改竄監視システムがセットされたパチンコ店において遊技機の改竄監視システムを「オン状態」にすると第１コントローラー３４Ａは管理する１６台のパチンコ機１０の中の番台の一番若い１番台のパチンコ機１０に対応しているアンテナ３０に対して通信回路部２２の情報を確認するように指示を出す。
これにより、前記第１コントローラー３４Ａに接続されているアンテナ３０は電波を発信して１番台のパチンコ機１０の通信回路部２２と通信を行う。アンテナ３０は通信回路部２２の製造番号等の種々の情報を受信した後で第１コントローラー３４Ａにその情報を送信する。
前記アンテナ３０から情報を受け取った第１コントローラー３４Ａはその情報が正常か異常かを瞬時に判断する。第１コントローラー３４Ａが送られてきた情報が正常情報であると判断すると前記第１コントローラー３４Ａは管理している１６台のパチンコ機１０の中の２番台のパチンコ機１０に配設されているアンテナ３０に対して通信回路部２２の情報を確認するように指示をする。
このようにして、前記第１コントローラー３４Ａは１番台のパチンコ機１０から２番台のパチンコ機１０、３番台のパチンコ機１０というように順番に情報確認指示をそれぞれのパチンコ機１０に配設されているアンテナ３０に対して順番に行う。そして、１６番目の１６番台のパチンコ機１０の情報確認が終了したら前記第１コントローラー３４Ａは再び１番台のパチンコ機１０の通信回路部２２の情報を確認するように指示することによりエンドレスで第１番台のパチンコ機１２〜第１６番台のパチンコ機１０の通信回路部２２の情報確認作業を繰り返す。
なお、遊技機の改竄監視システムを「オン状態」にすると前記第１コントローラー３４Ａだけでなく前記第２コントローラー３４Ｂ，第３コントローラー３４Ｃ，第４コントローラー３４Ｄもそれぞれ管理する１６台のパチンコ機１０の中の若い番台のパチンコ機１０から順番に前記第１コントローラー３４Ａが行った通信回路部２２の情報確認作業を同時進行で行う。【０００９】  また、例えば、不正行為者が深夜等にパチンコ店に忍び込んで１５番台のパチンコ機１０の基板収容ケース１２に収容されているＲＯＭ１５を改竄ＲＯＭに交換するために基板収容ケース１２に巻かれている通信回路部を設けた結束バンド１６を切断し、基板収容ケース１２のケース蓋１２Ｂを開けて制御基板１４に取り付けられているＲＯＭ１５を取り外して改竄ＲＯＭに交換した場合。
このような状態になった時に前記第１コントローラー３４Ａがエンドレスで行っている前記情報確認作業によって前記アンテナ３０が電波を発信して通信回路部を設けた結束バンド１６の通信回路部２２と通信を行おうとしても、前記通信回路部を設けた結束バンド１６は不正行為者によって基板収容ケース１２から取り外されている。
このため、前記通信回路部を設けた結束バンド１６の通信回路部２２とアンテナ３０は大きく離れてしまうのでアンテナ３０は通信回路部２２の情報を受信できなくなる。
従って、前記アンテナ３０は異常情報を前記第１コントローラー３４Ａに送信する。
アンテナ３０から前記情報を受け取った第１コントローラー３４Ａは当該情報を異常情報と判断すると、前記中継基板３８を介してパソコン４２に１５番台のパチンコ機１０は異常情報を発信した旨を報告する。
前記第１コントローラー３４Ａから異常情報の報告を受け取ったパソコン４２はアンテナ３０のＩＰが何番台のパチンコ機１０で異常が起こっているかを判断し、画面部４４上に「１５番台のパチンコ機１０は異常情報」と表示する。
従って、パチンコ店側はパソコン４２の画面４４を見るだけで多数のパチンコ機１０の中の１５番台のパチシコ機１０で不正行為行われた可能性があることを瞬時に知ることができる。
これにより、パチンコ店側はパソコン４２の画面部４４に表示されている１５番台のパチンコ機１０に駆けつけることにより、不正にパチンコ機１０のゲームをコントロールして多くの出玉を不正に獲得する行為を未然に防止することができる。
従って、本考案の通信回路部を設けた結束バンド及びそれを使用した遊技機の改竄監視システムを使用すれば従来のようにパチンコ機１０に設けられている基板収容ケース１２に収容されているＲＯＭが改竄ＲＯＭであるか否かを基板収容ケース１２の外側から見て一々チェック、監視するような煩雑な作業を不要とすることができるので、多数のパチンコ機１０の改竄を短時間で簡単にチェック、監視することができる。しかも、この実施例の場合エンドレスでチェック、監視が行われているので常時パチンコ機１０の改竄等の不正行為をチェック、監視することができる。
なお、パチンコ機１０の不正行為を発見した後は前記パソコン４２をリセット操作して画面部４４に表示されている「１５番台のパチンコ機１０は異常情報」の表示を消す。
そして、同様に再び、パソコン４２でパチンコ機１０の監視を継続する。
また、前記基板収容ケース１２のケース蓋１２Ｂを開けるためには通信回路部を設けた結束バンド１６の結束バンド本体１８を切断しなければならないので、不正行為を行った後におては基板収容ケース１２には通信回路部を設けた結束バンド１６は取り外されて巻き付けられていない。従って、前記通信回路部を設けた結束バンド１６の取付状態を見ることによっても一目で不正行為が行われたか否かを知ることができる。
なお、前記基板収容ケース１２には通信回路部を設けた結束バンド１６が巻き付けられているため、基板収容ケース１２のケース蓋１２Ｂを取り外す等の行為を行おうとする不正行為者は不正行為を行う前に前記通信回路部２２が自然と視野に入る。このため、不正行為者は通信回路部２２を見ることにより警戒感を抱き、不正行為を躊躇させるという心理的効果も与えることができる。
【第２実施例】
【００１０】  図５には本考案の第２実施例の遊技機の改竄監視システムが示されている。なお、第１実施例と同一の構成は同一の符号を用いてその説明を省略する。
第２実施例の遊技機の改竄監視システムに適用される第１コントローラー５４Ａ，第２コントローラー５４Ｂ，第３コントローラー５４Ｃ，第４コントローラー５４Ｄは接続されたそれぞれのアンテナ３０の管理を行う機能を有している。
しかし、これら第１コントローラー５４Ａ，第２コントローラー５４Ｂ，第３コントローラー５４Ｃ，第４コントローラー５４Ｄは第１実施例の第１コントローラー３４Ａ，第２コントローラー３４Ｂ，第３コントローラー３４Ｃ，第４コントローラー３４Ｄと異なりアンテナ３０から受け取った通信回路部２２の情報の比較、照合を行う機能は有していない。
なお、前記第１コントローラー５４Ａ，第２コントローラー５４Ｂ，第３コントローラー５４Ｃ，第４コントローラー５４Ｄはアンテナ３０から受けた情報を中継基板３８を介して管理用コンピューターとしてのパソコン５６に送信する機能を有している。
このパソコン５６は前記第１コントローラー５４Ａ，第２コントローラー５４Ｂ，第３コントローラー５４Ｃ，第４コントローラー５４Ｄから送られてきた通信回路部２２の情報の比較、照合、判断を行う機能を有している。
また、前記パソコン５６は送られてきた通信回路部２２の情報が異常であると判断した場合は、パソコン５６の画面部５８に「何番台のパチンコ機で異常」と表示する機能を有している。
なお、第２実施例の遊技機の改竄監視システムの他の構成は第１実施例の遊技機の改竄監視システムと同一であるので、その説明は省略する。
【００１１】  次に、第２実施例の遊技機の改竄監視システムの作用を説明する。なお、第１実施例の遊技機の改竄監視システムの作用、効果と同一の点はその説明を省略する。
第２実施例の遊技機の改竄監視システムがセットされたパチンコ店において遊技機の改竄監視システムを「オン状態」にすると第１コントローラー５４Ａは管理する１６台のパチンコ機１０の中の番台の一番若い１番台のパチンコ機１０に対応しているアンテナ３０に対して通信回路部２２の情報を確認するように指示を出す。
これにより、前記第１コントローラー５４Ａに接続されているアンテナ３０は電波を発信して１番台のパチンコ機１０の基板収容ケース１２に結ばれている通信回路部を設けた結束バンド１６の通信回路部２２と通信を行う。アンテナ３０は通信回路部２２の製造番号等の種々の情報を受信した後で第１コントローラー５４Ａにその情報を送信する。
前記アンテナ３０から情報を受け取った第１コントローラー５４Ａはその情報をそのまま中継基板３８を介してパソコン５６に送る。
第１コントローラー５４Ａは前記情報をパソコン５６に送ると２番台のパチンコ機１０、３番台のパチンコ機１０というように順番に情報確認指示をそれぞれのパチンコ機１０に配設されているアンテナ３０に対して順番に行う。そして、１６番目の１６番台のパチンコ機１０の情報確認が終了したら前記第１コントローラー５４Ａは再び１番台のパチンコ機１０の通信回路部２２の情報を確認するように指示することによりエンドレスで１番台のパチンコ機１０〜１６番台のパチンコ機１０の通信回路部２２の情報確認作業を繰り返す。
一方、前記第１コントローラー５４Ａから通信回路部２２の情報を送られたパソコン５６は当該情報が正常か異常かを照合判断する。
前記パソコン５６が情報を異常であると判断した場合は、その異常情報を照合して前記パソコン５６の画面部５８に「何番台のパチンコ機で異常」と表示する。
なお、遊技機の改竄監視システムを「オン状態」にすると前記第１コントローラー５４Ａだけでなく前記第２コントローラー５４Ｂ，第３コントローラー５４Ｃ，第４コントローラー５４Ｄもそれぞれ管理する１６台のパチンコ機１０の中の若い番台のパチンコ機１０から順番に通信回路部２２の情報確認作業を同時進行で行いアンテナ３０からの情報をそのまま中継基板３８を介してパソコン５６に送る。
なお、他の作用、効果は第１実施例の遊技機の改竄監視システムと同一であるので、その説明は省略する。
【００１２】  なお、第１実施例の遊技機の改竄監視システム、第２実施例の遊技機の改竄監視システムの第１コントローラー３４Ａ（５４Ａ），第２コントローラー３４Ｂ（５４Ｂ），第３コントローラー３４Ｃ（５４Ｃ），第４コントローラー３４Ｄ（５４Ｄ）とパソコン４２（５６）の通信を図６に示すようにＰＬＣ（電力線通信）に置き換えるようにしてもよい。
この場合は図６に示されるように、第１コントローラー３４Ａ（５４Ａ），第２コントローラー３４Ｂ（５４Ｂ），第３コントローラー３４Ｃ（５４Ｃ），第４コントローラー３４Ｄ（５４Ｄ）のコントローラー用ＬＡＮケーブル３６は第１ＰＬＣ変換機６０に接続されている。この第１ＰＬＣ変換機６０のケーブルは既設されている電力線６２の第１コンセント６４Ａに接続されている。
また、パソコン４２（５６）に接続されたコンピューター用ＬＡＮケーブル６６は第２ＰＬＣ変換機６８に接続されている。この第２ＰＬＣ変換機６８のケーブルは前記電力線６２の第２コンセント６４Ｂに接続されている。
従って、遊技機の改竄監視システムにおいてＰＬＣ（電力線通信）を利用すれば前記中継基板３８を不要にすることができる。
【第３実施例】
【００１３】  図７には本考案の第３実施例の遊技機の改竄監視システムが示されている。なお、第１実施例と同一の構成は同一の符号を用いてその説明を省略する。
図７に示されるように、第３実施例の遊技機の改竄監視システムにおいては前記通信回路部２２の情報は店員等がＩＣ読取チェッカー７０を手に持ってＩＣ読取チェッカー７０でパチンコ機１０に取り付けられた通信回路部を設けた結束バンド１６の通信回路部２２の情報を読み取るようになっている。
このＩＣ読取チェッカー７０は前記通信回路部２２のＩＣチップ２８に記憶された情報を読み取る読取機能が内蔵され、電波を発信することにより前記ＩＣチップ２８に記憶されている情報を読み取ることができるようになっている。
この読み取り結果はＩＣ読取チェッカー７０のディスプレー部７２に表示（例えば、情報を読み取れると「ＯＫ」の文字が表示され、情報を読み取れないと「ＮＧ」の文字が表示される）されるようになっている。
この結果、不正行為者が前記ＲＯＭ１５を改竄ＲＯＭに交換する等の不正行為を行うために基板収容ケース１２から通信回路部を設けた結束バンド１６を取り外してしまうと、通信回路部を設けた結束バンド１６の通信回路部２２と前記ＩＣ読取チェッカー７０が離れすぎてしまうため、ＩＣ読取チェッカー７０を操作してもディスプレー部７２には通信回路部２２のＩＣチップ２８に記憶されている情報を読み取れなかった表示（例えば「ＮＧ」の文字が表示される）が表れる。
従って、前記ＩＣ読取チェッカー７０が前記ＩＣチップ２８の情報を読み取れずディスプレー部７２に「ＮＧ」の文字が表示された場合は前記ＲＯＭ１５を改竄ＲＯＭに不正に交換する等の不正行為があったことを迅速にチェック、確認することができる。
なお、この第３実施例の遊技機の改竄監視システムは前記ＩＣ読取チェッカー７０を用意すれば第１実施例及び第２実施例の遊技機の改竄監視システムのようにコントローラーやパソコン等が不要であるので、パチンコ店側の設備費用を抑えることができるという利点を有している。
【００１４】  図８には通信回路部を設けた結束バンドの第２実施例が示されている。なお、第１実施例の通信回路部を設けた結束バンド１６と同一の構成は同一の符号を用いてその説明を省略する。
図８に示されるように、第２実施例の通信回路部を設けた結束バンド８０の通信回路部２２を構成するアンテナ部２６は通信回路部形成体２４だけでなく結束バンド本体１８にも連続して形成されている。
従って、不正行為者が通信回路部を設けた結束バンド８０を取り外すためにカッター等でけ結束バンド本体１８を切断すると結束バンド本体１８に内設されたアンテナ部２６も切断されてしまうために通信回路部を設けた結束バンド８０の通信回路部２２は情報を発信することができなくなる。
この結果、前記アンテナ３０や前記ＩＣ読取チェッカー７０は前記通信回路部２２から情報を受けることができないので、パチンコ機１０に異常が生じたことを知らせる異常情報を知らせることができるようなっている。
なお、第２実施例の通信回路部を設けた結束バンド８０は結束バンド本体１８が切断されるとアンテナ部２６も切断されて通信回路部２２は情報を発信できなくなるので、不正行為者が切断した通信回路部を設けた結束バンド８０を基板収容ケース１２に置いたりしても異常事態が生じたことを確実にチェック、監視することができる。
なお、他の構成、作用は第１実施例の通信回路部を設けた結束バンド１６と同一であるので、その説明は省略する。
【００１５】  なお、この実施例では遊技機としてパチンコ機１０を例にして説明したが、遊技機はパチンコ機１０に限定されるものでなく、例えばパチスロ機等をはじめとする他の遊技機でもよいことは勿論である。
また、実施例では通信回路部を設けた結束バンド１６をパチンコ機１０の基板収容ケース１２に取り付けたが、通信回路部を設けた結束バンド１６はパチンコ機１０であれば基板収容ケース１２以外の場所に取り付けてもよい。
なお、実施例では通信回路部を設けた結束バンド１６を基板収容ケース１２とボックス体１１Ａに巻き付けるようにして取り付けたが、通信回路部を設けた結束バンド１６は基板収容ケース１２だけ巻き付けて取り付けてもよいことは勿論である。
また、第１実施例、第２実施例では第１コントローラー３４Ａ、５４Ａ，第２コントローラー３４Ｂ、５４Ｂ，第３コントローラー３４Ｃ、５４Ｃ，第４コントローラー３４Ｄ、５４Ｄの４台のコントローラーで６４台のパチンコ機１０を監視したが、コントローラーは４台に限定されるものでなく、また、１台のコントローラーが管理するパチンコ機１０の数も１６台に限定されるものでないことは勿論である。
また、第１実施例、第２実施例では管理用コンピューターとしてパソコン４２，５６を示したが管理用コンピューターはパソコンに限定されるものでないことは勿論である。
【図面の簡単な説明】
【００１６】
【図１】第１実施例の通信回路部を設けた結束バンドの平面図である。
【図２】第１実施例の通信回路部を設けた結束バンドをパチンコ機に取り付けた状態の一部概略斜視図である。
【図３】第１実施例の通信回路部を設けた結束バンドをパチンコ機に取り付けた状態の一部拡大概略側面図である。
【図４】第１実施例の遊技機の改竄監視システムの全体概略図である。
【図５】第２実施例の遊技機の改竄監視システムの全体概略図である。
【図６】第１実施例、第２実施例の遊技機の改竄監視システムの変形例を示す全体概略図である。
【図７】第３実施例の遊技機の改竄監視システムの全体概略図である。
【図８】第２実施例の通信回路部を設けた結束バンドの平面図である。
【符号の説明】
【００１７】１０    パチンコ機
１２    基板収容ケース
１６    通信回路部を設けた結束バンド
１８    結束バンド本体
２２    通信回路部
２４    通信回路部形成体
２６    アンテナ部
２８    ＩＣチップ
３０    アンテナ
３２    アンテナ用ＬＡＮケーブル
３４Ａ  第１コントローラー
３４Ｂ  第２コントローラー
３４Ｃ  第３コントローラー
３４Ｄ  第４コントローラー
３６    コントローラー用ＬＡＮケーブル
３８    中継基板
４０    中継基板用ＬＡＮケーブル
４２    パソコン
【図１】
0003137336.tif 000003
【図２】
0003137336.tif 000004
【図３】
0003137336.tif 000005
【図４】
0003137336.tif 000006
【図５】
0003137336.tif 000007
【図６】
0003137336.tif 000008
【図７】
0003137336.tif 000009
【図８】
0003137336.tif 000010